(57)【要約】【課題】操作者のデータ読み取り部の装着位置をデータ読み取り時の状況に応じて変えることができ、如何なる状況下でも、ハンズフリー状態で被読取り媒体からのデータを読み取ることが可能である情報端末装置を提供する。【解決手段】操作者の手指Ｆ，手甲Ｂ及び手首Ｗに装着するための指用ベルト３Ｆ，甲用ベルト３Ｂ及び手首用ベルト３Ｗの三種類の装着手段を設け、装置本体１０には本体側連結部１３を設けると共に、三種類の装着手段には装置本体１０の本体側連結部１３に着脱可能なベルト側連結部３ａをそれぞれ設け、操作者の手指Ｆ，手甲Ｂ及び手首Ｗのうちのいずれかの箇所を選択して、この選択した箇所に対応する装着手段を介して操作者に装置本体１０を装着可能とした。【選択図】図１
2009104376.tif 000002
【特許請求の範囲】
【請求項１】
被読み取り媒体からの情報を読み取るデータ読み取り部及びこのデータ読み取り部で読み取った情報を処理するデータ処理部を一体で有する装置本体を備えた情報端末装置において、
前記装置本体を操作者の手指，手甲及び手首に装着するための手指用装着手段，手甲用装着手段及び手首用装着手段の三種類の装着手段を設け、
前記装置本体には本体側連結部を設けると共に、前記三種類の装着手段には前記装置本体の本体側連結部に着脱可能な装着手段側連結部をそれぞれ設け、
前記操作者の手指，手甲及び手首のうちのいずれかの箇所を選択して、この選択した箇所に対応する装着手段を介して前記操作者に前記装置本体を装着可能とした
ことを特徴とする情報端末装置。
【請求項２】
前記データ読み取り部による情報の読み取りを指示する信号を出力するトリガを備え、このトリガを前記装置本体に一体で組み込んだスイッチ式トリガとして、前記装置本体を前記操作者の手指に装着した状態において前記操作者の手指で前記装置本体のスイッチ式トリガを操作可能とした請求項１に記載の情報端末装置。
【請求項３】
前記データ読み取り部による情報の読み取りを指示する信号を出力するトリガを備え、このトリガを前記装置本体とは別体を成すスイッチ式トリガとし、このスイッチ式トリガを前記操作者の手指に装着した状態において前記操作者の手指で操作可能とした請求項１に記載の情報端末装置。
【請求項４】
前記データ読み取り部による情報の読み取りを指示する信号を出力するトリガを備え、このトリガを前記装置本体に一体で組み込んだ加速度センサ式トリガとし、前記装置本体を装着した前記操作者の手指，手甲及び手首のうちのいずれかの加速度発生動作で前記トリガを操作可能とした請求項１に記載の情報端末装置。
【請求項５】
前記装置本体の本体側連結部を腕時計のベルト連結部として形成した請求項１〜４のいずれか一つの項に記載の情報端末装置。
【発明の詳細な説明】
【技術分野】
【０００１】
本発明は、被読取り媒体からの情報を読み取って識別する手持ち式の情報端末装置に関するものである。
【背景技術】
【０００２】
従来、上記したような手持ち式の情報端末装置としては、例えば、バーコードやＲＦＩＤタグ（無線タグ）を読み取るデータ読み取り部と、このデータ読み取り部を機能させる操作スイッチを備えたものが商品化されている。
このような手持ち式の情報端末装置において、操作者が一方の手でデータ読み取り部を保持しながら、もう一方の手で操作スイッチを操作するのが一般的であるが、このような場合には、両手が塞がってしまうために他の作業ができない等の不便さがある。
【０００３】
そこで、この不便さを解消するべく、両手が塞がれない光学式の情報端末装置が提案されており、この光学式の情報端末装置では、情報の読み取り部を操作者の一方の腕の指に装着し、本体を操作者の他方の腕に装着して使用するようになっている。
この光学式の情報端末装置では、情報の読み取り部において、光ビームを読み取るべき情報に照射してその反射光を検出し、この反射光に基づくデータ信号を他方の腕側の本体に送信するようになっている（例えば、特許文献１を参照）。
【特許文献１】特開平８−２６３５８１号公報
【発明の開示】
【発明が解決しようとする課題】
【０００４】
ところが、上記した光学式の情報端末装置にあっては、通常、操作者の両手を塞ぐことなく、読み取り部に対して情報の読み取り動作を指示することができるものの、情報の読み取り部の装着位置が操作者の一方の腕の指に決められている都合上、データ読み取り時の状況によっては、読み取りを行うことができない場合もあり得るという問題があった。
本発明は、上記した従来の課題に着目してなされたもので、操作者のデータ読み取り部の装着位置をデータ読み取り時の状況に応じて変えることができ、その結果、如何なる状況下においても、ハンズフリー状態で被読取り媒体からのデータを読み取ることが可能である情報端末装置を提供することを目的としている。
【課題を解決するための手段】
【０００５】
本発明の請求項１に係る発明は、被読み取り媒体からの情報を読み取るデータ読み取り部及びこのデータ読み取り部で読み取った情報を処理するデータ処理部を一体で有する装置本体を備えた情報端末装置において、前記装置本体を操作者の手指，手甲及び手首に装着するための手指用装着手段，手甲用装着手段及び手首用装着手段の三種類の装着手段を設け、前記装置本体には本体側連結部を設けると共に、前記三種類の装着手段には前記装置本体の本体側連結部に着脱可能な装着手段側連結部をそれぞれ設け、前記操作者の手指，手甲及び手首のうちのいずれかの箇所を選択して、この選択した箇所に対応する装着手段を介して前記操作者に前記装置本体を装着可能とした構成としたことを特徴としており、この情報端末装置の構成を前述の従来の課題を解決するための手段としている。
【０００６】
本発明の情報端末装置では、例えば、データ読み取り部を一体で有する装置本体を操作者の手指に装着すれば、ハンズフリー状態で被読取り媒体から情報を読み取り得ることとなる。
この際、装置本体を操作者の手指に装着して行う読み取り作業に不都合が生じた場合には、上記不都合を解消するべく操作者の手指に代えて手甲（あるいは手首）を選択して、これに対応する手甲用装着手段（手首用装着手段）を介して装置本体を装着するように成せば、装置本体を手指に装着した場合と同様にハンズフリー状態で被読取り媒体から情報を読み取り得ることとなる。
【０００７】
すなわち、三種類の装着手段を使い分けることで、如何なる状況下においてもハンズフリー状態で被読取り媒体から情報を読み取り得ることとなって、使い勝手に優れたものとなる。
本発明の請求項２に係る情報端末装置は、前記データ読み取り部による情報の読み取りを指示する信号を出力するトリガを備え、このトリガを前記装置本体に一体で組み込んだスイッチ式トリガとして、前記装置本体を前記操作者の手指、望ましくは人差し指及び中指に装着した状態において前記操作者の手指、望ましくは親指で前記装置本体のスイッチ式トリガを操作可能とした構成としており、このような構成とすることで、装置本体及びトリガの装着作業の煩わしさが軽減されることとなる。
【０００８】
この際、スイッチ式トリガには、ボタンスイッチ式トリガや回転スイッチ式トリガを採用することができ、回転スイッチ式トリガを採用すると、複数の接点の開閉が可能であり、例えば、データ読み取り部として二次元コード読み取り部及びＲＦＩＤタグの読み取り部を具備している場合には、これらの読み取り部の切り替えを行うことが可能である。
本発明の請求項３に係る情報端末装置は、前記データ読み取り部による情報の読み取りを指示する信号を出力するトリガを備え、このトリガを前記装置本体とは別体を成すスイッチ式トリガとし、このスイッチ式トリガを前記操作者の手指、望ましくは人差し指に装着した状態において前記操作者の手指、望ましくは親指で操作可能とした構成としており、この構成を有する情報端末装置では、手指の自由度が広がることとなる。
【０００９】
この際、操作者の手指、望ましくは人差し指に装着するスイッチ式トリガには、レバータイプのものやプッシュタイプのものやスライドタイプのものを採用可能であるほか、感圧センサや振動センサを用いることが可能である。
本発明の請求項４に係る情報端末装置は、前記データ読み取り部による情報の読み取りを指示する信号を出力するトリガを備え、このトリガを前記装置本体に一体で組み込んだ加速度センサ式トリガとし、前記装置本体を装着した前記操作者の手指，手甲及び手首のうちのいずれかの加速度発生動作で前記トリガを操作可能とした構成としており、このような構成とすれば、装置本体及びトリガの装着作業の煩わしさが軽減されるのに加えて、トリガ操作が容易になる。
【００１０】
本発明の請求項５に係る情報端末装置は、前記装置本体の本体側連結部を腕時計のベルト連結部として形成した構成としており、この場合には、より使い勝手がよいものとなる。  
【発明の効果】
【００１１】
本発明の請求項１に係る情報端末装置によれば、上記した構成としているので、操作者のデータ読み取り部の装着位置をデータ読み取り時の状況に応じて変えることができ、その結果、如何なる状況下においても、ハンズフリー状態で、被読取り媒体からの情報の読み取りを確実に行うことが可能であるという非常に優れた効果がもたらされる。
本発明の請求項２に係る情報端末装置では、上記した構成としたから、装置本体及びトリガの装着作業の煩わしさを減らすことができ、本発明の請求項３に係る情報端末装置は、上記した構成としたため、手指の自由度を広げることが可能であるという非常に優れた効果がもたらされる。
【００１２】
本発明の請求項４に係る情報端末装置では、上記した構成としたから、装置本体及びトリガの装着作業の煩わしさを軽減し得るうえ、トリガ操作の容易化を実現でき、本発明の請求項５に係る情報端末装置では、上記した構成としているので、使い勝手をより向上させることが可能であるという非常に優れた効果がもたらされる。  
【発明を実施するための最良の形態】
【００１３】
以下、本発明を図面に基づいて詳細に説明する。
図１及び図２は、本発明の情報端末装置の一実施形態を示しており、図１に示すように、この情報端末装置１は、被読み取り媒体からのバーコードを光学的に読み取る二次元コードセンサ（データ読み取り部）１１を一体で有していると共に、この二次元コードセンサ１１により読み取られた情報の識別やデータの集積処理などを行うデータ処理部１２を内蔵した装置本体１０と、この装置本体１０に一体で組み込まれて二次元コードセンサ１１による情報の読み取りを指示する信号を出力するトリガ２と、装置本体１０を操作者の手指Ｆに装着するための指用ベルト（手指用装着手段）３Ｆを備えている。
【００１４】
上記装置本体１０のデータ処理部１２は、図２に示すように、二次元コードセンサ１１により読み取られた情報の識別を行うデコードボード１４と、このデコードボード１４で識別されたデータを集積処理する中央処理部１５と、二次元コードセンサ１１とは別のデータ読み取り部であってアンテナ１７を介してＲＦＩＤタグを読み取るＲＦＩＤ無線モジュール１８を具備している。
【００１５】
また、装置本体１０には、二次元コードセンサ１１及びデータ処理部１２のほかに、動作状態やデータ読み取り状態を示す表示部４と、アンテナ５を介して成されるブルートゥース用の無線モジュール６と、バッテリー７と、本体スイッチ８と、二次元コードセンサ１１及びＲＦＩＤ無線モジュール１８を切り替えるスイッチ切り替え回路１９が設けてある。
【００１６】
この場合、装置本体１０は、約１００ｍｍ×約５０ｍｍ×約２５ｍｍサイズの略箱形状を成しており、トリガ２は、装置本体１０の側面に位置するレバースイッチ式トリガとしてあって、指用ベルト３Ｆを介して装置本体１０を手指（図１では人差し指及び中指）Ｆに装着した状態において操作者の手指（図１では親指）ＳＦで操作可能となっている。
さらに、この情報端末装置１は、上記した指用ベルト３Ｆのほかに、装置本体１０を操作者の手甲Ｂに装着するための甲用ベルト（手甲用装着手段）３Ｂ及び手首Ｗに装着するための手首用ベルト（手首用装着手段）３Ｗを備えている。
【００１７】
そして、装置本体１０の側部に本体側連結部１３を設けると共に、指用ベルト３Ｆ，甲用ベルト３Ｂ及び手首用ベルト３Ｗに装置本体１０の本体側連結部１３に着脱可能なベルト側連結部（装着手段側連結部）３ａをそれぞれ設けることで、操作者の手指Ｆ，手甲Ｂ及び手首Ｗのうちのいずれかの箇所を選択して、この選択した箇所に対応するベルト３Ｆ（３Ｂ，３Ｗ）を用いて操作者に装置本体１０を装着することができるようにしてある。
【００１８】
この実施形態において、装置本体１０の本体側連結部１３は、一対のマウント１３ａ，１３ａ及びこれらのマウント１３ａ，１３ａ間に取り外し可能に架設されるピン１３ｂを具備しており、すなわち、腕時計のベルト連結部と同じ構造をなしており、一方、指用ベルト３Ｆ，甲用ベルト３Ｂ及び手首用ベルト３Ｗの各ベルト側連結部３ａも、腕時計のベルトの端部と同じ構造をなしている。
【００１９】
したがって、手首用ベルト３Ｗには腕時計ベルトを流用可能である。
上記したように、この実施形態における情報端末装置１では、二次元コードセンサ１１を一体で有する装置本体１０を操作者の手指Ｆに装着すれば、ハンズフリー状態で被読取り媒体から情報を読み取り得ることとなり、この情報読み取り時において親指ＳＦを動かしてスイッチ式トリガ２を操作すれば、バーコードを二次元コードセンサ１１で読み取ってデータ処理部１２に送信し得ることとなる。
【００２０】
この際、装置本体１０を操作者の手指Ｆに装着してデータの読み取りを行うことに不都合が生じた場合には、操作者の手指Ｆに代えて手甲Ｂ及び手首Ｗのうちの手甲Ｂ（あるいは手首Ｗ）を選択して、手甲Ｂ（あるいは手首Ｗ）に対応する甲用ベルト３Ｂ（あるいは手首用ベルト３Ｗ）を介して装置本体１０を装着するように成せば、装置本体１０を手指Ｆに装着した場合と同様にハンズフリー状態で被読取り媒体から情報を読み取り得ることとなる。
【００２１】
すなわち、如何なる状況下においても、ハンズフリー状態で被読取り媒体から情報を読み取り得ることとなって、使い勝手に優れたものとなる。
また、この実施形態における情報端末装置１では、トリガ２を装置本体１０に一体で組み込んだスイッチ式トリガとしていて、指用ベルト３Ｆを介して装置本体１０を手指Ｆに装着した状態でその親指ＳＦで操作可能としているので、装置本体１０及びトリガ２の装着作業の煩わしさが軽減されることとなる。
【００２２】
さらに、この実施形態における情報端末装置１では、装置本体１０の本体側連結部１３を腕時計のベルト連結部と同じ構造を成すものとし、一方、指用ベルト３Ｆ，甲用ベルト３Ｂ及び手首用ベルト３Ｗの各ベルト側連結部３ａを腕時計のベルトの端部と同じ構造を成すものとしているので、手首用ベルト３Ｗとして腕時計ベルトを流用することもできることとなり、より使い勝手がよいものとなる。
【００２３】
なお、この実施形態における情報端末装置１では、トリガ２が、装置本体１０の側面に位置するレバースイッチ式トリガである場合を例示したが、これに限定されるものではなく、他の形式として、図３に示すように、トリガ２をスライドボタンスイッチ式トリガとしたり、図４に示すように、回動ボタンスイッチ式トリガとしたりしてもよい。
図５及び図６は、本発明の情報端末装置の他の実施形態を示しており、図５及び図６に示すように、この情報端末装置１では、トリガ２２を装置本体１０Ａとは別体を成すレバースイッチ式トリガとしていて、装置本体１０Ａとレバースイッチ式トリガ２２とはワイヤ２４を介して電気的に接続させてある。
【００２４】
なお、レバースイッチ式トリガ２２側で電源を必要とする場合には、図６に実線で示すように、バッテリー７から電源の供給を受けるようにし、一方、レバースイッチ式トリガ２２側で電源を必要としない場合には、図６に仮想線で示すように、トリガ２２に電池２２ａを内蔵させる。
この場合、装置本体１０Ａは、手首用ベルト３Ｗを介して操作者の手首Ｗに装着し、一方、トリガ２２は、トリガ装着用のリング２５を介して操作者の手指Ｆに装着するようになっている。
【００２５】
この情報端末装置１においても、レバースイッチ式トリガ２２を操作者の手指Ｆに装着した状態においてその親指ＳＦで操作可能となっており、この構成を有する情報端末装置１では、手指Ｆの自由度が広がることとなる。
図７は、本発明の情報端末装置のさらに他の実施形態を示しており、図７に示すように、この情報端末装置１では、手甲用装着手段を手袋３３Ｂとしており、この手袋３３Ｂの甲の部分に、装置本体１０の本体側連結部１３に着脱可能な手袋側連結部（装着手段側連結部）３３ａをファスナ３３ｂを介して取り付けるようになっている。
【００２６】
また、この情報端末装置１では、トリガ２を装置本体１０に一体で組み込んだ加速度センサ式トリガとしていて、手袋３３Ｂを介して装置本体１０を装着した操作者の手甲の加速度発生動作でトリガ２を操作するようにしており、したがって、装置本体１０及びトリガ２の装着作業の煩わしさが軽減されるのに加えて、トリガ２の操作が容易になる。
この際、図８に示すように、手袋３３Ｂの甲の部分に対して、ホック３４ｂをカシメ止めすることで、手袋側連結部３３ａを取り付けるようにしてもよい。
【００２７】
図９は、本発明の情報端末装置のさらに他の実施形態を示しており、図９に示すように、この情報端末装置１では、手甲用装着手段である樹脂テープ４３Ｂに対して、ホック４４ｂをカシメ止めすることで、装置本体１０の本体側連結部１３に着脱可能なテープ側連結部（装着手段側連結部）４３ａを取り付けるようになっている。
なお、この情報端末装置１において、上記手甲用装着手段である樹脂テープ４３Ｂは、手首用装着手段としても用いることができる。
【００２８】
図１０は、本発明の情報端末装置のさらに他の実施形態を示しており、図１０に示すように、この情報端末装置１では、手甲用装着手段をサポータ状の帯体５３Ｂとしており、この帯体５３Ｂの甲の部分に対して、装置本体１０の本体側連結部１３に着脱可能な帯体側連結部（装着手段側連結部）５３ａを直接縫い付けている。
図１１は、本発明の情報端末装置のさらに他の実施形態を示しており、図１１に示すように、この情報端末装置１では、手首用装着手段をサポータ状の帯体６３Ｗとしており、この帯体６３Ｗの手首の部分に対して、装置本体１０の本体側連結部１３に着脱可能な帯体側連結部（装着手段側連結部）６３ａを直接縫い付けている。
【００２９】
図１２は、本発明の情報端末装置のさらに他の実施形態を示しており、図１２に示すように、この情報端末装置１では、手首用装着手段をリング状のゴムベルト７３Ｗとしており、このゴムベルト７３Ｗに対して、装置本体１０の本体側連結部１３に着脱可能なベルト側連結部（装着手段側連結部）７３ａを直接縫い付けている。
上記した実施形態では、データ処理部１２が、二次元コードセンサ１１及びＲＦＩＤ無線モジュール１８の双方をデータ読み取り部として有している場合を示したが、いずれか一方のデータ読み取り部だけであってもよい。
【図面の簡単な説明】
【００３０】
【図１】本発明に係る情報端末装置の一実施形態を示す操作者に装着した状態の平面図説明図（ａ），側面説明図（ｂ），正面説明図（ｃ）及び三種類の装着手段としてのベルトの各平面説明図（ｄ）である。
【図２】図１の情報端末装置における回路構成を示すブロック図である。
【図３】図１の情報端末装置におけるスイッチ式トリガの他の構成例を示す操作者に装置本体を装着した状態の側面説明図である。
【図４】図１の情報端末装置におけるスイッチ式トリガのさらに他の構成例を示す操作者に装置本体を装着した状態の斜視説明図である。
【図５】本発明に係る情報端末装置の他の実施形態を示す操作者に装着した状態の平面図説明図（ａ），側面説明図（ｂ）及び正面説明図（ｃ）である。
【図６】図５の情報端末装置における回路構成を示すブロック図である。
【図７】本発明に係る情報端末装置のさらに他の実施形態を示す操作者に装着した状態の斜視説明図（ａ）及び装着手段である手袋の分解斜視説明図（ｂ）である。
【図８】本発明に係る情報端末装置のさらに他の実施形態を示す操作者に装着した状態の斜視説明図（ａ）及び装着手段である手袋の分解斜視説明図（ｂ）である。
【図９】本発明に係る情報端末装置のさらに他の実施形態を示す操作者に装着した状態の斜視説明図（ａ）及び手甲用装着手段の斜視説明図（ｂ）である。
【図１０】本発明に係る情報端末装置のさらに他の実施形態を示す操作者に装着した状態の斜視説明図（ａ）及び手甲用装着手段の斜視説明図（ｂ）である。
【図１１】本発明に係る情報端末装置のさらに他の実施形態を示す操作者に装着した状態の斜視説明図（ａ）及び手首用装着手段の斜視説明図（ｂ）である。
【図１２】本発明に係る情報端末装置のさらに他の実施形態を示す操作者に装着した状態の斜視説明図（ａ）及び手首用装着手段の斜視説明図（ｂ）である。
【符号の説明】
【００３１】
１            情報端末装置
２，２２      トリガ
３Ｂ          甲用ベルト（手甲用装着手段）
３Ｆ          指用ベルト（手指用装着手段）
３Ｗ          手首用ベルト（手首用装着手段）
３ａ          ベルト側連結部（装着手段側連結部）
１０，１０Ａ  装置本体
１１          データ読み取り部
１２          データ処理部
３３Ｂ        手袋（手甲用装着手段）
３３ａ        手袋側連結部（装着手段側連結部）
４３Ｂ        樹脂テープ（手甲用装着手段）
４３ａ        テープ側連結部（装着手段側連結部）
５３Ｂ        サポータ状の帯体（手甲用装着手段）
５３ａ        帯体側連結部（装着手段側連結部）
６３Ｗ        サポータ状の帯体（手首用装着手段）
６３ａ        帯体側連結部（装着手段側連結部）
７３Ｗ        リング状のゴムベルト（手首用装着手段）
７３ａ        ベルト側連結部（装着手段側連結部）
【図１】
2009104376.tif 000003
【図２】
2009104376.tif 000004
【図３】
2009104376.tif 000005
【図４】
2009104376.tif 000006
【図５】
2009104376.tif 000007
【図６】
2009104376.tif 000008
【図７】
2009104376.tif 000009
【図８】
2009104376.tif 000010
【図９】
2009104376.tif 000011
【図１０】
2009104376.tif 000012
【図１１】
2009104376.tif 000013
【図１２】
2009104376.tif 000014